(57)【要約】【課題】制御信号線の異常を検知することが出来る集中制御システムを提供する。【解決手段】集中制御盤１に複数台の空調機器４を制御信号線５を介して接続し、前記集中制御盤１には空調機器４の各種の運転設定及びこの設定の表示を行う表示兼用の操作画面２を備え、空調機器４は、前記操作画面２で設定された月日や時間で運転開始や停止を制御するプログラム運転を行うもので、前記集中制御盤１には、各空調機器４とは一対の抵抗を付加して接続した２本の制御信号線５が接続する定電流回路２６が備えられ、各空調機器４に接続された制御信号線５毎の配線インピーダンスを算出するようにしたものである。【選択図】図２
2015114068.tif 000002
【特許請求の範囲】
【請求項１】
集中制御盤に複数台の空調機器を制御信号線を介して接続し、前記集中制御盤には空調機器の各種の運転設定及びこの設定の表示を行う表示兼用の操作画面を備え、空調機器は、前記操作画面で設定された月日や時間で運転開始や停止を制御するプログラム運転を行うものに於いて、前記集中制御盤には、各空調機器とは一対の抵抗を付加して接続した２本の制御信号線が接続する定電流回路が備えられ、各空調機器に接続された制御信号線毎の配線インピーダンスを算出するようにした事を特徴とする集中制御システム。
【請求項２】
前記各制御信号線毎に算出された配線インピーダンスを表示する電圧レベルモニタを備え、算出された配線インピーダンスとしきい値とを比較してしきい値以下の場合には、エラー表示するようにした事を特徴とする請求項２記載の集中制御システム。
【発明の詳細な説明】
【技術分野】
【０００１】
この発明は、多数の区画された部屋を有する学校や病院、公共施設などで、この各部屋に設置されたエアコンやストーブを一箇所で集中的に制御する集中制御システムに関するものである。
【背景技術】
【０００２】
従来よりこの種のものに於いては、各暖房機の運転及び停止状態を、集中制御盤の表示部に制御信号線を介しての信号が送られることで、各暖房機の現在の運転及び停止状態を表示して、運転状態が表示部を見れば一目で分かるようにしたものであった。（例えば、特許文献１参照。）
【先行技術文献】
【特許文献】
【０００３】
【特許文献１】特開２００１−１６５４９３号公報
【発明の概要】
【発明が解決しようとする課題】
【０００４】
ところでこの従来のものでは、制御信号線が規定以上の長さになっている時や、規定以下の線径になっている時や、制御信号線の分岐や延長のための接続部の処理が不十分の場合には、配線インピーダンス（抵抗分）が大きくなり、辛うじて通信している状態を検知することは出来ないものであった。
【課題を解決するための手段】
【０００５】
この発明は上記課題を解決するために、特にその構成を、集中制御盤に複数台の空調機器を制御信号線を介して接続し、前記集中制御盤には空調機器の各種の運転設定及びこの設定の表示を行う表示兼用の操作画面を備え、空調機器は、前記操作画面で設定された月日や時間で運転開始や停止を制御するプログラム運転を行うものに於いて、前記集中制御盤には、各空調機器とは一対の抵抗を付加して接続した２本の制御信号線が接続する定電流回路が備えられ、各空調機器に接続された制御信号線毎の配線インピーダンスを算出するようにしたものである。
【０００６】
又請求項２では、前記各制御信号線毎に算出された配線インピーダンスを表示する電圧レベルモニタを備え、算出された配線インピーダンスとしきい値とを比較してしきい値以下の場合には、エラー表示するようにしたものである。
【発明の効果】
【０００７】
以上のようにこの発明によれば、各空調機器に接続された制御信号線毎の異常を、定電流回路で簡単に検知することが出来、配線のやり直しをさせるなどして常に良好な配線状態が得られ、確実な信号の授受が行われ良好な集中制御が得られるものである。
【０００８】
又前記請求項２によれば、配線インピーダンスを電圧レベルでモニタ出来、異常のある制御信号線を素早く見つけ出して対応出来、極めて使用勝手が良いものである。
【図面の簡単な説明】
【０００９】
【図１】この発明の一実施形態の集中制御システムの概略構成図。
【図２】同制御信号線の配線図。
【図３】同操作画面の初期設定画面の説明図。
【図４】同操作画面のグループ設定画面の説明図。
【図５】同操作画面の週間タイマー設定画面の説明図。
【図６】同操作画面のグループ別モニター画面の説明図。
【図７】同全停止スイッチ操作時のフローチャート。
【図８】同本日の運転終了スイッチ操作時のフローチャート。
【図９】同モニター画面の説明図。
【図１０】同情報画面の説明図。
【発明を実施するための形態】
【００１０】
この発明の集中制御システムの一実施形態を図面に基づき説明する。
１はパネルコンピューターから成る集中制御盤で、１５インチのタッチパネル方式の表示兼用の操作画面２を有し、初期設定時にはキーボード（図示せず）を接続可能とし、文字や数字入力によって各種の設定を可能として、後述する複数の空調機器の運転開始／停止及び室温制御等の集中制御を行うものである。
３は前記操作画面２と共に集中制御盤１を構成する分配器で、各部屋に設置されているＦＦ式の石油ストーブからなる空調機器４を最大３２台接続した制御信号線５が２本ずつ接続されており、この分配器３を４個有し最大で２５６台の空調機器４が接続可能で、運転開始／停止及び室温制御等の集中制御を行うものである。
【００１１】
６は操作画面２中の初期設定スイッチで、集中制御の初期設定を行うものであり、続いてシステム設定スイッチ７を押圧することで、操作画面２がシステム設定画面に切り替わり、システムの物件名、導入年月日等が入力可能でフォルダー内に格納される。
８は型式設定スイッチで、初期設定スイッチ６に続いて押圧されることで、操作画面２が型式設定画面に切り替わり、最大２０種類の型式を登録することが出来るものである。
【００１２】
９はグループ設定スイッチで、初期設定スイッチ６に続いて押圧されることで、操作画面２がグループ設定画面に切り替わり、１階西や２階東等の２０項目のグループが設定可能で、１グループにつき３０台の空調機器４を分けることが出来る。
【００１３】
１０は操作画面２中のプログラム設定スイッチで、押圧されるとプログラム設定画面に切り替わり、週間タイマースイッチ１１、年間タイマースイッチ１２、日付・時刻スイッチ１３が表示され、続けて週間タイマースイッチ１１が押圧されれば、プログラム表示に例えば１年生の一週間の時間割が表示され、プログラム運転で運転したい各曜日と各時間に渡って運転するか停止するかを設定可能で、年間タイマースイッチ１２を続いて押圧すれば、４ヶ月前と４ヶ月後が表示され、現在の月を基準として最大１３年後まで表示されて、運転したい日にちのプログラム運転を設定可能で、続いて日付・時刻スイッチ１３を押圧すれば、日付と時刻が表示されこの画面で日付と時刻の設定が行われるものである。
【００１４】
１４はモニタースイッチで、予めグループ分けされたグループ毎に現在の設定や運転状態が表示され、マニュアル運転の運転開始や停止、マニュアル運転からプログラム運転への切替及びこの逆も変更可能で、更にグループで一括運転や停止の操作及び設定温度の変更も行うことが出来るものである。
【００１５】
１５はプログラム運転スイッチで、プログラム運転に設定された空調機器４をプログラム、即ち予め設定した日時や温度で運転開始／停止を行う運転を開始させるものであり、設定された期間に渡って設定された通りに運転制御されるものである。
【００１６】
１６は異常状態等の緊急時に押圧されることにより全空調機器４を強制的に停止させる全停止スイッチで、マニュアル運転やプログラム運転に関係なく全ての運転が停止されるものであり、プログラム運転で運転停止による時刻待ち中でも停止され、再度プログラム運転スイッチ１５が押圧されないとプログラム運転は再開されないものである。
【００１７】
１７は本日の運転終了スイッチで、同じく緊急時に押圧されることにより全空調機器４の運転を強制的に停止するものであるが、プログラム運転については、深夜１２時を回り日付が翌日の日付に変わることで、何ら別の追加操作をすることなく自動的にプログラム運転が再開されるもので、即ち本日の運転終了スイッチ１７の押圧で本日の集中制御運転は全て停止されるが、少なくともプログラム運転は翌日には運転開始され、極めて使用勝手が良いものである。
【００１８】
１８は分配器３とグループ分けされた空調機器４とをつなぐ制御信号線５途中に接続される外部警報器からなる子機ユニットで、地震を感知して通電を停止させる感震器や緊急停止スイッチが接続されるものであり、各分配器３につき３台まで設置可能としているものである。
【００１９】
前記モニタースイッチ１４は、空調機器４の故障時に押圧されると操作画面２がモニター画面１９に切り替わり、グループ別モニタースイッチ２０の押圧により、グループ別の空調機器４のナンバーやエラーコードや、エラー内容及び処理方法がエラー表示２１されるものであり、エラー状態をいちいち空調機器４の設置場所まで行って確認する必要がなく、集中制御盤１で確認することが出来るようにしたものである。
【００２０】
２２は情報スイッチで、押圧されることで操作画面２が情報画面２３に切り替わり、エラー履歴スイッチ２４の押圧により、エラー内容を発生した日時と共に記憶し、この記憶した内容を発生の新しい順にソートがかけられて情報画面２３に情報表示２５して、過去のエラー内容まで確認出来るので、故障の修理がスムーズに確実に行われ、安心して使用出来るものである。
【００２１】
２６は集中制御盤１内で、各空調機器４とは一対の抵抗２７を付加した２本の制御信号線５が接続した定電流回路で、オペアンプ２７とトランジスタ２８とで構成され、各空調機器４と集中制御盤１とを結ぶ制御信号線５に一定の電流が流れるように電圧を制御するもので、施工後に２本の制御信号線５間に接続した電圧レベルモニタ２９を見ながら、各空調機器４毎の制御信号線５に定電流を流して該制御信号線５間の電圧を検知することで、配線インピーダンスを算出し表示することが出来、この算出された配線インピーダンスをしきい値と比較してしきい値以下の場合には、情報画面２３或いは電圧レベルモニタ２９で各空調機器４毎にエラー表示を表示させるものである。
【００２２】
次にこの集中制御システムの施工後の配線インピーダンスの検査について説明すれば、各空調機器４毎の制御信号線５に順番に定電流回路２６から定電流を流し、制御信号線５間の電圧を検知することで、配線インピーダンスを算出し電圧レベルモニタ２９に表示すると共に、この算出された配線インピーダンスをしきい値と比較してしきい値以下の場合には、電圧レベルモニタ２９にエラー表示も表示する。
【００２３】
これにより各空調機器４に接続された制御信号線５毎の規定以上の長さになっている時や、規定以下の線径になっている時や、制御信号線の分岐や延長のための接続部の処理が不十分などの異常を、定電流回路２６で簡単に検知することが出来、配線のやり直しをさせるなどして常に良好な配線状態が得られ、確実な信号の授受が行われ良好な集中制御が得られるものであり、又配線インピーダンスを電圧レベルでモニタ出来、異常のある制御信号線５を素早く見つけ出して対応出来、極めて使用勝手が良いものである。
【００２４】
次にこの集中制御システムの作動について説明すれば、今集中制御盤１でマニュアル運転やプログラム運転の各種設定を行った後、この集中制御により各空調機器４を運転制御している状態で、図７のフローチャートに示すように、緊急事態が発生し全空調機器４の運転を停止させる必要が生じた場合には、操作画面２に常時表示されている全停止スイッチ１６を押圧すれば（ステップ３０）、ＹＥＳでステップ３１に進みマニュアル運転やプログラム運転に関係なく全ての空調機器４の運転が停止されるものであり、プログラム運転で運転停止による時刻待ち中でも停止され、再度プログラム運転スイッチ１５が押圧されないとプログラム運転は再開されないものである。
【００２５】
又緊急状態であるので全空調機器４は一担全て停止させるが、停止させるのは今日だけでプログラム運転は明日以降は再開させたい場合には、図８のフローチャートに示すように、操作画面２に常時表示されている本日の運転終了スイッチ１７を押圧すれば（ステップ３２）、ＹＥＳでステップ３３に進みマニュアル運転やプログラム運転に関係なく全ての空調機器４の運転が停止されるが、プログラム運転は解除されずステップ３４に進んで現在時刻が深夜１２時を回り翌日に成ったかを判断し、ＹＥＳでステップ３５に進みプログラム運転を再開するものである。
【００２６】
これによって、プログラム運転を再開することなく全空調機器４の運転を停止させる時には、全停止スイッチ１６を押圧して全停止させて、災害時等の緊急時に対応出来て安全の確保が簡単に行われるものであり、又全停止ではあるがそれ程緊急用しない時や今日１日だけ停止させて置けば良い時には、本日の運転終了スイッチ１７を押圧して全停止させるが、プログラム運転については、再設定の必要もなく、その日の日付が変わることでプログラム運転が自動的に再開され、極めて使用勝手が良く安心して使用出来るものである。
【００２７】
一方空調機器４が故障した場合には、モニタースイッチ１４を押圧することで、操作画面２がモニター画面１９に切り替わり、グループ別モニタースイッチ２０を更に押圧すると、エラー内容及び処理方法がエラー表示２１されるので、エラー状態をいちいち空調機器４の設置場所まで行って確認する必要がなく、集中制御盤１で確認することが出来るようにしたものである。
【００２８】
又情報スイッチ２２が押圧されることで、操作画面２が情報画面２３に切り替わり、更にエラー履歴スイッチ２４が押圧されると、記憶されたエラー内容を発生した日時と共に、発生の新しい順にソートがかけられて情報画面２３に情報表示２５として表示され、過去のエラー内容まで確認しながら補修、修理が出来るので、故障の修理がスムーズに確実に行われ、安心して使用出来るものである。
【符号の説明】
【００２９】
１  集中制御盤
２  操作画面
４  空調機器
５  制御信号線
２６  定電流回路
２９  電圧レベルモニタ
【図１】
2015114068.tif 000003
【図２】
2015114068.tif 000004
【図３】
2015114068.tif 000005
【図４】
2015114068.tif 000006
【図５】
2015114068.tif 000007
【図６】
2015114068.tif 000008
【図７】
2015114068.tif 000009
【図８】
2015114068.tif 000010
【図９】
2015114068.tif 000011
【図１０】
2015114068.tif 000012